(57)【要約】【課題】下パネルの周縁部から光が漏れ出すことのない遊技機を提供する。【解決手段】遊技機の一例であるスロットマシンは、フロントドア１０のパネル部１１に設けられた取付凹部５０の前側開口部５０ｂに装着される下パネル３０を備える。下パネル３０は、外パネル３１とこの裏面に装着される内パネル４０を有する。外パネル３１及び内パネル４０の各周縁部に取付凹部側へ突出する突出部３３，４２を設ける。外パネル３１の突出部３３の裏面側に内パネル４０の突出部４２が重ね合わされて装着され、外パネル３１及び内パネル４０の各突出部３３，４２の裏面にしぼ加工を施す。取付凹部５０内に設けられたＬＥＤ６４からの光が内パネル４０の突出部４２の裏面に当たると、この光は外パネル３１と内パネル４０の突出部３３，４２の少なくともいずれかの面で乱反射して取付凹部５０内に戻される。【選択図】図７
2008245756.tif 000002
【特許請求の範囲】
【請求項１】
フロントドアに設けられた取付凹部の前側開口部に取り付けられて該取付凹部内に設けられた光源からの光を透過する透明材料で形成された下パネルを備えた遊技機であって、
前記下パネルの裏面の少なくとも周縁部にしぼ加工が施されたことを特徴とする遊技機。
【請求項２】
前記下パネルは、外パネルと該外パネルの裏面に着脱可能に重ね合わされる内パネルを有し、
前記外パネルと前記内パネルの各裏面の周縁部の少なくともいずれかにしぼ加工が施されることを特徴とする請求項１に記載の遊技機。
【請求項３】
前記外パネル及び前記内パネルの各周縁部には前記取付凹部側へ突出する突出部が設けられ、
前記外パネルの突出部の裏面側に前記内パネルの突出部が重ね合わされて装着され、
前記外パネル及び前記内パネルの各突出部の裏面の少なくともいずかにしぼ加工が施されていることを特徴とする請求項２に記載の遊技機。
【発明の詳細な説明】
【技術分野】
【０００１】
本発明は、フロントドアに設けられた取付凹部の前側開口部に取り付けられて該取付凹部内に設けられた光源からの光を透過する透明材料で形成された下パネルを備えた遊技機に関する。
【背景技術】
【０００２】
従来の遊技機の一例であるスロットマシンは、筐体の前側に取り付けられたフロントドアのパネル部の下部に本スロットマシンのゲーム内容を紹介等するための絵が描かれた下パネルを備えているが一般的である。この下パネル７０は、例えば、特許文献１に記載されており、図８（部分断面図）に示すように、パネル部８０に設けられた取付凹部８１に装着され、外パネル７１（文献では外装パネル板）とこの裏面に着脱可能に重ね合わされる内パネル７５（文献では内装パネル板）と外パネル７１及び内パネル７５間に挟装されるデザインシート７８（文献では印刷シート）を有して構成されている。外パネル７１と内パネル７５は周縁部に取付凹部側へ向かって突出する突出部７２，７６が設けられており、外パネル７１の上下両端部に設けられた係止部７３が取付凹部８１の内面に係止すると、下パネル７０が取付凹部８１に取り付けられるようになっている。
【０００３】
【特許文献１】特開２００５−２９６４０６号公報
【発明の開示】
【発明が解決しようとする課題】
【０００４】
この従来の下パネル７０は、外パネル７１の突出部７２の内側に内パネル７５の突出部７６が重なり合うようにして装着されているので、取付凹部８１内に設けられた光源８２からの光が内パネル７５の突出部７６の裏面に当たると、その光は内パネル７５の突出部７６及び外パネル７１の突出部７２を通ってスロットマシンの前側に漏れ出す場合がある。このような光の漏れが生じると、デザインシート７８を透過する光の量が不足してデザインシートに描かれた絵が周辺部よりも暗くなる。そこで、通常よりは光度が高い光源を用いたり、多数の光源を設置すると、デザインシートに描かれた絵を明るく照らすことができるが、スロットマシンのコストが増大するという問題が発生する。
【０００５】
また、下パネル７０の周縁部にクロームメッキ等を施すと周縁部からの光の漏れを防止することができるが、下パネル７０の周縁部のみをメッキする部分メッキは手間が掛かり、製造コストが増大するという問題が発生する。
【０００６】
本発明は、このような問題に鑑みてなれたものであり、遊技機のコストの増大抑えて、下パネルの周縁部からの光の漏れを無くすことができる遊技機を提供することを目的とする。
【課題を解決するための手段】
【０００７】
このような課題を解決するため、本発明は、以下の特徴を有する。特徴の一つは、フロントドアに設けられた取付凹部の前側開口部に取り付けられて該取付凹部内に設けられた光源からの光を透過する透明材料で形成された下パネルを備えた遊技機であって、下パネルの裏面の少なくとも周縁部にしぼ加工が施されたことを特徴とする。
【０００８】
この特徴によれば、下パネルの裏面の少なくとも周縁部にしぼ加工を施すことにより、取付凹部内に設けられた光源からの光が下パネルの裏面の周縁部に当たると乱反射する。このため、周縁部を透過する光の量を少なくすることができ、下パネルの周縁部を透過して遊技機の前側に漏れ出す光の量を抑えることができる。このため、下パネルに描かれた絵が下部パネルの周辺部よりも暗くなることはなく、下パネルに描かれた絵を明るく照らすことができ、下パネルの周縁部をメッキした場合と同様の効果を得ることができる。また下パネルの周辺部からの光の漏れがなくなるので、光源の光を有効に使用することができる。このため、光源の数を減らしても、下パネルに描かれた絵を充分に明るく照らすことができ、遊技機全体のコストを安価にすることができる。
【０００９】
また特徴の一つは、下パネルは、外パネルと該外パネルの裏面に着脱可能に重ね合わされる内パネルを有し、外パネルと内パネルの各裏面の周縁部の少なくともいずれかにしぼ加工が施されることを特徴とする。
【００１０】
この特徴によれば、外パネルと内パネルの各裏面の周縁部の少なくともいずれかにしぼ加工を施すことにより、下パネルが２つのパネルから構成されている場合でも、取付凹部内に設けられた光源からの光が下部パネルの裏面の周縁部に当たると、外パネルと内パネルの各裏面の周縁部の少なくともいずれかの面で乱反射する。このため、周縁部を透過する光の量をより少なくすることができ、周縁部を透過して遊技機の前側に漏れ出す光の量をより抑えることができる。このため、光源の光をより有効に使用することができ、光源の数を減らしても、下パネルに描かれた絵を充分に明るく照らすことができ、遊技機全体のコストをより安価にすることができる。
【００１１】
また特徴の一つは、外パネル及び内パネルの各周縁部には取付凹部側へ突出する突出部が設けられ、外パネルの突出部の裏面側に内パネルの突出部が重ね合わされて装着され、外パネル及び内パネルの各突出部の裏面の少なくともいずかにしぼ加工が施されていることを特徴とする。
【００１２】
この特徴によれば、外パネル及び内パネルの各突出部の裏面の少なくともいずかにしぼ加工を施すことにより、外パネル及び内パネルの各突出部が重なり合った状態で下パネルが構成されている場合でも、取付凹部内に設けられた光源からの光が内パネルの突出部の裏面に当たると、外パネルと内パネルの突出部の少なくともいずれかの面で乱反射する。このため、突出部を透過する光の量をより少なくすることができ、外パネル及び内パネルの突出部を透過して遊技機の前側に漏れ出す光の量をより抑えることができる。このため、光源からの光をより有効に使用することができ、光源の数を減らしても、下パネルに描かれた絵を充分に明るく照らすことができ、遊技機全体のコストをさらに安価にすることができる。
【発明の効果】
【００１３】
本発明に係わる遊技機によれば、上記特徴を有することによって、遊技機のコストの増大を抑えて、下パネルの周縁部からの光の漏れを無くすことができる遊技機を提供することができる。
【発明を実施するための最良の形態】
【００１４】
以下、本発明に係わる遊技機の好ましい実施の形態を図１から図６に基づいて説明する。本実施の形態は、遊技機の一例であるスロットマシンについて説明する。
【００１５】
スロットマシン１は、図１（正面図）及び図２（内部構造図）に示すように、遊技者に面するフロントドア１０と、フロントドア１０を開閉自在に取り付けた筐体６０とを有して構成される。フロントドア１０は、機械的に強固な硬質プラスチック製のパネル部１１に矩形状の枠組み１３を取り付けて構成されている。
【００１６】
枠組み１３は、パネル部１１内の左右両側の側壁１１ａ，１１ｂに沿って取り付けられた一対の縦フレーム１４，１５と、パネル部１１の上壁１１ｃの内側に沿ってパネル部幅方向に延びる横フレーム１６とを有してなる。右側の側壁１１ｂに沿って取り付けられた縦フレーム１５に施錠装置ユニット１８が取り付けられている。
【００１７】
パネル部１１の上部には、演出用の上部ランプ１１ｄ、スピーカを備えた放音部１１ｅ，１１ｆ、液晶ディスプレイ等を有した演出表示装置１１ｇが配設されている。そして、パネル部１１の中間部には、透明な硬質プラスチック板で形成された略長方形状の透過窓ＷＤと演出用ランプ１１ｈ，１１ｉが設けられ、筐体６０内に設けられたリール装置６１のリールＲ１、Ｒ２、Ｒ３を、遊技者が透過窓ＷＤを介して見ることが可能となっている。
【００１８】
パネル部１１の中間部の下側には、遊技者が操作するための操作パネル部２０が設けられ、この操作パネル部２０には各種のボタン等（メダル投入部ＭＤ、ベットボタンＢ、スタートレバーＳＴ、ストップボタンＳＰ１，ＳＰ２，ＳＰ３）が設けられている。
【００１９】
操作パネル部２０の右端には、フロントドア１０を開錠するための施錠装置ユニット１８の鍵穴ＫＹが設けられ、鍵穴ＫＹに正規の鍵を挿入して開錠操作すると、フロントドア１０を筐体６０から開くことが可能となっている。また、操作パネル部２０の左端には、精算ボタンＭＲが設けられ、ゲームに賭けたメダルの払い出しを指示すると共に、メダルクレジット手段（図示せず）が内部保留したメダルの払い出しの指示が可能になっている。
【００２０】
パネル部１１の下部には、本スロットマシン１のゲーム内容を紹介等するための絵（図示略）が描かれた下パネル３０が設けられ、下パネル３０の左右方向両外側のパネル部１１には演出用ランプ２２，２２が設けられている。なお、下パネル３０の構造については後述する。下パネル３０の下方には、遊技メダルを払い出すための排出口１１ｊ、メダル受皿１１ｋ、放音部１１ｍが設けられている。
【００２１】
フロントドア１０の裏面側の上部には、前述した放音部１１ｅ，１１ｆのスピーカＳＲ，ＳＬが設けられ、スピーカＳＲ，ＳＬの間には前述した演出表示装置１１ｇが設けられている。演出表示装置１１ｇの下方には、透過窓ＷＤを形成する略長方形状の枠体１９が取り付けられており、この枠体１９の下方には、メダル投入部ＭＤより投入された投入物が正規の遊技メダルか否かを判別して振り分けるセレクト機構Ｇ０と、セレクト機構Ｇ０で振り分けられた遊技メダルを筐体６０側に設けられたホッパ装置ＨＰへ案内するガイド部材Ｇ１と、セレクト機構Ｇ０で振り分けられた異物を排出口１１ｊへ案内するガイド部材Ｇ２と、ホッパ装置ＨＰから出力される払い出し用のメダルを排出口１１ｊへ案内するガイド部材Ｇ３とが設けられている。排出口１１ｊの近傍には、前述した放音部１１ｍを構成するスピーカＳＷが取り付けられている。
【００２２】
枠体１９とセレクト機構Ｇ０との間には、長尺状の電気回路基板で形成された中央表示基板２１が取り付けられ、この中央表示基板２１には、前述した操作パネル部２０に設けられているベットボタンＢと、スタートレバーＳＴと、ストップボタンＳＰ１，ＳＰ２，ＳＰ３等が電気的に配線接続されている。これらＢ，ＳＴ，ＳＰ１，ＳＰ２，ＳＰ３の出力信号はハーネスを介して筐体６０に設けられたメイン制御基板２４に転送される。
【００２３】
筐体６０内には、主電源装置ＰＷＵと、ホッパ装置ＨＰから溢れた遊技メダルを収容する補助貯留部ＳＨＰが設けられる他、前述したリール装置６１が設けられている。主電源装置ＰＷＵの側面には電源装置基板２５が取り付けられ、リール装置６１の上端には回胴装置基板２６が取り付けられ、リール装置６１の上方には前述したメイン制御基板２４が取り付けられている。メイン制御基板２４は、半導体メモリ（ＲＯＭ）とマイクロプロセッサ（ＭＰＵ）等が搭載されており、このマイクロプロセッサ（ＭＰＵ）が、半導体メモリ（ＲＯＭ）に予め記憶されているシステムプログラムとスロットマシンゲーム用のプログラムを実行し、電源装置基板２５、回胴装置基板２６及び後述するサブ制御基板１７に所定の指令を行って夫々に分散制御を行わせることにより、本スロットマシン１全体を集中制御する。
【００２４】
演出表示装置１１ｇの裏面側には、電気回路基板で形成されたサブ制御基板１７が設けられている。このサブ制御基板１７は、演出表示装置１１ｇによって表示される演出画像の制御を行うマイクロプロセッサと、このマイクロプロセッサが実行するコンピュータプログラム及び演出用データを記憶した読み出し専用メモリ（ＲＯＭ）と、演出処理の実行中に生じる各種データを一時的に記憶するランダムアクセスメモリ（ＲＡＭ）等を備えた電気回路が搭載されている。そして、このサブ制御基板１７は、メイン制御基板２４からの制御信号に従って、上部ランプ１１ｄ，演出用ランプ１１ｈ，１１ｉ，２２とスピーカＳＲ，ＳＬ，ＳＷを駆動して遊技者の視覚及び聴覚に訴える演出を行うと共に、演出表示装置１１ｇを制御して遊技内容に応じた演出表示を行わせる。
【００２５】
このサブ制御基板１７は、不正行為を防止するための基板ケース２７内に収容されており、この基板ケース２７ごと一体として演出表示装置１１ｇの裏面側に着脱可能に取り付けられている。
【００２６】
パネル部１１の下部に設けられた下パネル３０は、図３（分解斜視図）に示すように、パネル部１１の下部に形成された取付凹部５０の前側開口部５０ｂに取り付けられ、外パネル３１と外パネル３１の裏面側に重ね合わされて固定される内パネル４０とを有して構成される。外パネル３１と内パネル４０との間には、絵が描かれたデザインシート４８が挟装される。下パネル３０を構成する外パネル３１，内パネル４０，デザインシート４８は、取付凹部５０内に取り付けられるプリント基板６３に実装された複数のＬＥＤ６４からの光を透過する透明材料で形成され、外パネル３１，内パネル４０は一体成型される。
【００２７】
下パネル３０の外パネル３１と内パネル４０は、図４（ａ）（表面側分解斜視図），図４（ｂ）（表面側組立斜視図），図５（ａ）（平面図），図５（ｂ）（正面図），図５（ｃ）（底面図）に示すように、正面視において矩形状をなし、外パネル３１と内パネル４０は相似形である。外パネル３１は取付凹部５０を覆う板状の外パネル本体部３２を有し、外パネル本体部３２の周囲にパネル部側に斜め外側へ突出する突出部３３を設けている。突出部３３の裏面の略全面にはしぼ加工が施されている。
【００２８】
しぼ加工は、裏面に多数の微細な凹凸を形成させる加工をいう。外パネル３１の突出部３３にしぼ加工を施す方法は、例えば、外パネル３１を成型するときに用いる金型表面に、外パネル３１にしぼ加工を施す部分に相当する部分をしぼ加工しておく方法がある。金型の表面加工は、化学的又は物理的処理によって金型の表面に多数の微細な凹凸を形成し、その加工面をしぼ加工することによって行う。このようなしぼ加工は、例えばサンドブラストやショットブラスト等のブラスト法によって物理的に行うことができるし、またエッチング法等で表面を腐食させる化学的方法によって行うこともできる。
【００２９】
外パネル３１の下側の突出部３３の先端部には左右方向に所定間隔を有して配置されて下方に延びて係止可能な板状の第２係止部３４が複数設けられている。
【００３０】
内パネル４０は取付凹部５０を覆う板状の内パネル本体部４１を有し、内パネル本体部４１の周囲にはパネル部側に斜め外側に向かって突出する突出部４２が設けられている。突出部４２の裏面の略全面にはしぼ加工が施されている。内パネル４０の上側の突出部４２の左右方向の略中央部には、パネル部側に向かって突出して係止可能な第１係止部４３が設けられている。
【００３１】
内パネル４０の下側の突出部４２の先端部には左右方向に所定間隔を有して配置されて下方に延びて係止可能な板状の第２係止部４４が複数設けられている。これらの第２係止部４４は、内パネル４０を外パネル３１の裏面側に装着すると、外パネル３１の対応する第２係止部３４と略一致して重なるように配置されている。
【００３２】
このように構成された下パネル３０を取り付ける取付凹部５０の下部の表面側には、図３及び図６（断面図）に示すように、第２係止部３４，４４を挿入するための開口部５１が左右方向（取付凹部幅方向）に所定間隔を有して複数設けられている。これらの開口部５１の前後方向の寸法は、第２係止部３４，４４のそれより僅かに大きく設定されている。また開口部５１を形成する取付凹部５０の先端側の内面５０ａは、外パネル３１の突出部３３がパネル部側に向かって斜め外側に突出するのに対して、前後方向に延びている。このため、取付凹部５０に装着された外パネル３１の突出部３３の外側と取付凹部５０の先端側の内面５０ａとの間には隙間５２が形成されて、この隙間５２によって下パネル３０の取付凹部５０に対する着脱操作を容易にしている。
また取付凹部５０内の上端部の左右方向略中央部には第１係止部４３を係止可能な係合部を備えた挿入孔部４６が設けられている。
【００３３】
取付凹部５０は、第２係止部３４，４４を開口部５１に挿入させて下パネル３０の上側をパネル部側に向かって移動させると、第１係止部４３を挿入孔部４６の係合部に係止して、取付凹部５０の前側開口部５０ｂに下パネル３０を装着する。
【００３４】
このように構成された下パネル３０を取付凹部５０に取り付けた状態で、取付凹部５０内のＬＥＤ６４からの光が内パネル４０の突出部４２に当たると、図６に示すように、内パネル４０及び外パネル３１の各突出部４２，３３の裏面にしぼ加工が施されていない場合には、この光は各突出部３３，４２を透過してスロットマシン１の前側に漏れ出す場合がある。しかしながら、本スロットマシン１の各突出部３３，４２の裏面にはしぼ加工が施されているので、図７（断面図）に示すように、ＬＥＤ６４からの光が内パネル４０の突出部４２の裏面に当たると、この光は、実線の矢印が示すように、内パネル４０の突出部４２の裏面又は外パネル３１の突出部３３の裏面で乱反射して取付凹部５０内に戻される。このため、スロットマシン１の前側に漏れ出す光の量を少なくすることができる。従って、デザインシート４８を透過する光の量が不足してデザインシート４８に描かれた絵が下パネル３０の周辺部よりも暗くなることはなく、デザインシート４８に描かれた絵を明るく照らすことができ、下パネル３０の周縁部をメッキした場合と同様の効果を得ることができる。また下パネル３０の周辺部から光が漏れないので、ＬＥＤ６４からの光を有効に使用することができ、ＬＥＤ６４の数を減らしても、下パネル３０に描かれた絵を充分に明るく照らすことができる。このため、遊技機全体のコストを安価にすることができる。
【００３５】
なお、前述した実施形態では、外パネル３１及び内パネル４０の各突出部３３，４２の裏面にしぼ加工を施した例を示したが、外パネル３１及び内パネル４０のいずれかの突出部３３，４２の裏面にしぼ加工を施してもよい。また、前述した実施形態では、外パネル３１及び内パネル４０の各突出部３３，４２の裏内面全体にしぼ加工を施したが、光が漏れ出す場所に対応する突出部３３，４２の裏面の一部にのみしぼ加工を施してもよい。また下パネル３０を外パネル３１と内パネル４０の２つの部材で構成したが、製造可能であれば、これらのパネルを一つにして構成してもよい。さらに前述した実施例では、スロットマシン１を例にしたが、パチンコやゲームセンタで用いられているゲーム機などを対象にしてもよい。
【図面の簡単な説明】
【００３６】
【図１】本発明の一実施の形態に係わるスロットマシンの正面図を示す。
【図２】このスロットマシンのフロントドアを開けた状態におけるフロントドア及び筐体の内部構造図を示す。
【図３】フロントドアに設けられた取付凹部に取り付けられる下パネルの表面側分解斜視図を示す。
【図４】下パネルを示し、同図（ａ）は下パネルの表面側の分解斜視図であり、同図（ｂ）は下パネルの表面側の組立斜視図である。
【図５】下パネルを示し、同図（ａ）は下パネルの平面図であり、同図（ｂ）は下パネルの正面図であり、同図（ｃ）は下パネルの底面図である。
【図６】しぼ加工が施されていない下パネルの突出部を通る光の経路を示した下パネルの部分断面図を示す。
【図７】しぼ加工が施された下パネルの突出部を通る光の経路を示した下パネルの部分断面図を示す。
【図８】従来の下パネルの断面図を示す。
【符号の説明】
【００３７】
１  スロットマシン（遊技機）
１０  フロントドア
３０  下パネル
３１  外パネル
３３  突出部
４０  内パネル
５０  取付凹部
５０ｂ  前側開口部
６４  ＬＥＤ（光源）
【図１】
2008245756.tif 000003
【図２】
2008245756.tif 000004
【図３】
2008245756.tif 000005
【図４】
2008245756.tif 000006
【図５】
2008245756.tif 000007
【図６】
2008245756.tif 000008
【図７】
2008245756.tif 000009
【図８】
2008245756.tif 000010